(57)【特許請求の範囲】
【請求項１】
戸パネル１が開口面の下側に設けた下部レール３で開閉自在に案内支持されている引戸用の上部案内装置であって、
開口枠６に固定したガイド枠７と、戸パネル１に固定したスライド枠８と、両枠７・８の間に配置されて両枠７・８に対し左右方向に相対スライドできる遊動ビーム９とからなり、
遊動ビーム９の上面の左右の一側に、ガイド枠７に設けたガイドレール１１で摺動案内される上摺動体２２を設け、遊動ビーム９の下面の左右の他側に、スライド枠８で摺動案内される下摺動体２４を設けてあり、
戸パネル１の開放途中に遊動ビーム９と接当して遊動ビーム９をスライド枠８と同行移動させる開放接当具２０と、戸パネル１の閉止途中に遊動ビーム９と接当して遊動ビーム９をスライド枠８と同行移動させる閉止接当具２１とが、それぞれスライド枠８に設けてある引戸用の上部案内装置。
【請求項２】
上摺動体２２にガイドレール１１と圧接して摺動摩擦を生じさせる抵抗片２７が設けられており、
下摺動体２４にスライド枠８と圧接して摺動摩擦を生じさせる抵抗片３０が設けてある請求項１記載の引戸用の上部案内装置。
【請求項３】
下摺動体２４が、遊動ビーム９に固定した軸２５で上下動自在に支持されており、
遊動ビーム９と下摺動体２４との間に配置したばね３２で、下摺動体２４がスライド枠８へ向かって押し下げ付勢されている請求項１又は２記載の引戸用の上部案内装置。
【請求項４】
上摺動体２２の前後側面に、ガイドレール１１の前後壁に圧接する一対の抵抗片２７がそれぞれ一体に突設されており、
対を為す抵抗片２７が、上摺動体２２の開放方向と閉止方向とに向かって延びる片持ち状の弾性腕で形成されており、
下摺動体２４の前後側面に、スライド枠８の前後壁に圧接する一対の抵抗片３０がそれぞれ一体に突設されており、
対を為す抵抗片３０のそれぞれが、下摺動体２４の摺動方向と交差する向きに延びる片持ち状の弾性腕で形成されている請求項２又は３記載の引戸用の上部案内装置。
【発明の詳細な説明】
【０００１】
【発明の属する技術分野】
本発明は、伸縮自在なビームを案内要素に利用する引戸用の上部案内装置に関する。そこでの引戸の重量は戸パネルの下部に設けた戸車あるいは同種の走行具が支持するものである。
【０００２】
【従来の技術】
伸縮自在なビームを案内要素に利用した引戸は、例えば特開昭６０−２５３６８３号公報、特公昭５９−４４５２４号公報、特開昭５８−１４３０７６号公報等に公知である。但し、これらは基本的に引戸重量の全てを伸縮ビームで支持している。伸縮ビームは、室内側へ向かって開口する断面Ｃ字形のガイドレールと、ガイドレールに沿って走行するスライド枠とを備えており、スライド枠で戸パネルを吊持している。
【０００３】
上記の伸縮ビームは戸重量の全てを負担するので、ビーム自体に十分な強度を要する。そのため、案内装置全体が大形化しやすく、例えば居室等の雰囲気が重視される室内には、見かけが武骨過ぎて適用するのがためらわれる。引戸を全開放した状態においても、スライド枠をガイドレールで案内支持する必要があるので、多くの場合は全閉時の戸パネルの側方上部にガイドレールが突き出るのを避けられず、この点でも室内の雰囲気を損ないやすい。
【０００４】
本出願人は、雰囲気が重視される室内にも違和感なく適用できる、伸縮ビームを利用した上部案内装置を先に提案している（特願平８−４５３８９号）。そこでは、開口枠に固定した下向きに開口するガイド枠と、戸パネルの上端に固定した上向きに開口するスライド枠と、両枠の間に配置されて各枠に対し相対スライドできる遊動ビームとで伸縮ビームを構成している。遊動ビームの上面および下面には、ガイド枠で転動案内される上ローラと、スライド枠で転動案内される下ローラが設けてある。スライド枠の両端寄りには、下ローラに接当して、遊動ビームを同行移動操作する接当具が枠底壁に突設されたものとなっている。
【０００５】
【発明が解決しようとする課題】
上記の伸縮ビームは戸重量を負担する必要がなく、戸パネルの振れ止め機能を備えていれば足りるので、装置全体を小形化できる。戸パネルを全開放した状態においては、ガイド枠から半ば突出した遊動ビームでスライド枠を支えるので、ガイド枠の左右長さを戸パネルの左右幅寸法に一致させることができ、しかも戸パネルを閉じた状態では、遊動ビームおよびスライド枠をそれぞれガイド枠内に収めることができるので、外観上の体裁を向上できる。
【０００６】
問題は、戸パネルが戸車や遊動ビームの上下に設けたローラを介して支持されていて、極く小さな操作力で開閉できるため、戸パネルを急開閉するような場合に、運動慣性力で戸パネルが側枠に衝突し、その反動で跳ね返される点にある。外部振動を受けて戸パネルが徐々に開閉移動することもある。多くの場合、ガイド枠、スライド枠、遊動ビームはアルミニウム形材で形成するが、戸パネルの開閉時に遊動ビームの上下面に設けたローラが一斉に転動するので、特有の転動騒音を生じるうえ、開閉時のローラの蛇行で戸パネルの上部が前後方向へがた付きやすい。
【０００７】
本発明の目的は、居室や個室型の事務室など雰囲気が重視される室内に違和感なく適用できる引戸用の上部案内装置を提供することにある。
本発明の目的は、戸パネルが急激に開閉操作されるような場合にも、その運動慣性力を徐々に弱めて戸パネルが側枠に衝突するのを極力解消でき、外部振動が作用する場合でも、戸パネルを任意の開閉位置に移動不能に位置保持できる引戸用の上部案内装置を提供することにある。
本発明の目的は、戸パネル開閉時の騒音の発生やパネル上部のがた付きがなく、戸パネルを静粛に開閉できるようにすることにある。
本発明の目的は、開口面の外側に戸パネルを配置するアウトセット型の引戸に好適な上部案内装置を提供することにある。
【０００８】
【課題を解決するための手段】
本発明の上部案内装置は、図２に示すごとく戸パネル１が開口面の下側に設けた下部レール３で開閉自在に案内支持される引戸を対象とする。そのうえで、上部案内装置は、図１に示すごとく開口枠６に固定したガイド枠７と、戸パネル１に固定したスライド枠８と、両枠７・８の間に配置されて両枠７・８に対し左右方向に相対スライドできる遊動ビーム９とからなる。遊動ビーム９の上面の左右の一側には、図３に示すごとくガイド枠７に設けたガイドレール１１で摺動案内される上摺動体２２を設け、遊動ビーム９の下面の左右の他側には、スライド枠８で摺動案内される下摺動体２４を設けてある。戸パネル１の開放途中に遊動ビーム９と接当して遊動ビーム９をスライド枠８と同行移動させる開放接当具２０と、戸パネル１の閉止途中に遊動ビーム９と接当して遊動ビーム９をスライド枠８と同行移動させる閉止接当具２１とが、それぞれスライド枠８に設けてある。
【０００９】
具体的には、図５および図６に示すごとく上摺動体２２にガイドレール１１と圧接して摺動摩擦を生じさせる抵抗片２７を設け、下摺動体２４には図１および図７に示すごとくスライド枠８と圧接して摺動摩擦を生じさせる抵抗片３０を設ける。下摺動体２４は、図１および図８に示すごとく遊動ビーム９に固定した軸２５で上下動自在に支持され、遊動ビーム９と下摺動体２４との間に配置したばね３２で、スライド枠８へ向かって押し下げ付勢されている。
【００１０】
上摺動体２２の前後側面には、ガイドレール１１の前後壁に圧接する一対の抵抗片２７をそれぞれ一体に突設する。対を為す抵抗片２７は、図６に示すごとくそれぞれが上摺動体２２の開放方向と閉止方向とに向かって延びる片持ち状の弾性腕で形成されている。下摺動体２４の前後側面には、スライド枠８の前後壁に圧接する一対の抵抗片３０をそれぞれ一体に突設する。対を為す抵抗片３０のそれぞれは、図７に示すごとく下摺動体２４の摺動方向と交差する向きに延びる片持ち状の弾性腕で形成する。
【００１１】
【作用】
閉止位置にある戸パネル１を開き操作すると、これの上部に固定したスライド枠８が戸パネル１と同行移動する。このとき、スライド枠８は下摺動体２４を介して遊動ビーム９で移行案内されるので、戸パネル１が前後にがた付くのを規制できる。戸パネル１が図上左側へある程度開放されると、図４に示すごとくスライド枠８に設けた開放接当具２０が下摺動体２４に接当して、遊動ビーム９を同行移動させる。以後は、上摺動体２２がガイド枠７のガイドレール１１に沿って摺動し、遊動ビーム９とスライド枠８とはガイド枠７から側方へ突出して、戸パネル１の上部を支持する。
【００１２】
戸パネル１を完全に開放した状態において、遊動ビーム９の移動終端側はガイド枠７の内部にあって、上摺動体２２がガイドレール１１で支持されている。この状態から戸パネル１を図上右側へ閉じ操作すると、まず戸パネル１とスライド枠８のみが移動し、ある程度移動した後に閉止接当具２１が遊動ビーム９と接当して、これを同行移動させる。戸パネル１を完全に閉じると、遊動ビーム９およびスライド枠８は、ガイド枠７の下方へ復帰移動する。
【００１３】
遊動ビーム９とガイド枠７、および遊動ビーム９とスライド枠８とは、それぞれ上摺動体２２および下摺動体２４を介して常に接当している。そのため、戸パネル１を開閉するときには、両摺動体２２・２４とガイド枠７およびスライド枠８との間に、摺動摩擦抵抗が生じる。この摺動摩擦抵抗は、ローラ等の転がり抵抗に比べて十分に大きい。従って、戸パネル１が急開閉される場合には、戸パネル１の運動慣性力を徐々に弱めることができる。
【００１４】
とくに、上下の摺動体２２・２４にそれぞれ抵抗片２７・３０を設け、これら抵抗片２７・３０がガイドレール１１およびスライド枠８に対して圧接しているので、両摺動体２２・２４による摩擦抵抗を充分に生じさせて、戸パネル１の運動慣性力を効果的に滅殺できる。任意の開放位置において、戸パネル１が開放方向や閉止方向に移動するのを確実に阻止できる。戸パネル１を開閉する際に、その上部が前後方向へがた付くこともない。
【００１５】
戸パネル１は、例えば戸車２に設けた上下調整機構によって開口枠６に対する上下位置が適正化される。こうした戸パネル１の上下調整に支障なく対応するために、下摺動体２４を上下動自在に支持したうえで、ばね３２で押し下げ付勢している。
【００１６】
抵抗片２７・３０を上摺動体２２および下摺動体２４と一体に形成し、抵抗片２７・３０のそれぞれを片持ち状の弾性腕で形成するのは、部品点数を削減し、かつ長期使用時の摩耗に伴う抵抗片２７・３０の摩擦抵抗力の斬減を極力避けるためである。下摺動体２４の抵抗片３０を上下方向に延びる弾性腕で形成するのは、先に述べた戸パネル１の上下調整にも対応するためである。
【００１７】
【実施例】
図１ないし図７は本発明に係る引戸用の上部案内装置の実施例を示す。図２において、符号１は戸パネル、２は戸パネル１の下部両側に埋設した戸車、３は床面に埋設した下部レールである。下部レール３には、戸車２を走行案内する断面Ｖ字状の溝を有する。戸車２はユニット化されており、戸パネル１の側端面に露出する調整ビスを操作することで、戸パネル１の上下位置や前後位置を変更調整できる。符号４は戸パネル１を閉止保持するラッチ型の錠であり、この錠４は戸パネル１の開閉操作用の把手を兼ねるハンドル５を回動操作することにより解錠できる。
【００１８】
戸パネル１を前後傾動不能にしながら左右方向へ開閉案内するために、開口枠６の上縁に沿って上部案内装置が設けられている。この上部案内装置は、開口枠６の上部外面に固定されるガイド枠７と、戸パネル１の上端面に固定されるスライド枠８と、両枠７・８の間に配置される遊動ビーム９とからなる。
【００１９】
図３において、ガイド枠７は下向きに開口する断面コ字形のアルミニウム形材からなり、その上壁内面に下向きに開口する断面Ｃ字状のガイドレール１１を一体に設ける。ガイド枠７の左右両端には、それぞれプラスチック成形品からなるキャップ１３・１４を圧嵌固定する。これら両キャップ１３・１４のうち、左方のキャップ１３は、スライド枠８および遊動ビーム９がガイド枠７に対して出退できるよう、側面視で門形に形成してある。ガイドレール１１の上壁内面の両端寄りには、遊動ビーム９の出退限界を規定するためのストッパー１５・１６が下向きに突出する状態で固定されている。ストッパー１５・１６はゴムブロックで形成してあって、後述する上摺動体２２が衝突するとき緩衝作用を発揮する。
【００２０】
スライド枠８は、図３に示すごとく上向きに開口する断面コ字形のアルミニウム形材からなり、後述する下摺動体２４を摺動案内する。スライド枠８の断面外形寸法は、ガイド枠７の断面外形寸法よりひと回り小さく設定してあり、スライド枠８の全体をガイド枠７の内部に収容できる。この収容状態において、スライド枠８はガイドレール１１と適当間隔を置いて上下に対向している。スライド枠８の底壁内面の左右両端寄りには、開放接当具２０と閉止接当具２１とをそれぞれ固定してある。これらの接当具２０・２１は、先のストッパー１５・１６と同様にゴムブロックで形成してある。
【００２１】
遊動ビーム９は、図３に示すごとく中空の金属枠体からなり、その右半部上面の２個所に、ガイドレール１１に沿って摺動する上摺動体２２を軸２３で上方突出状に固定し、左半部下面の２個所に、スライド枠８に沿って摺動する下摺動体２４を軸２５で上下動のみ自在に支持してある。遊動ビーム９の剛性を向上するために、その底壁には浅い凹部が設けてある。
【００２２】
図５および図６において、上摺動体２２は偏平な直方体ブロック状のプラスチック成形品からなり、その前後面上半部の左右両端に、ガイドレール１１で摺動案内される摺動片２６をそれぞれ前後に張り出し、各前後面において左右の摺動片２６間に左右一対の抵抗片２７を一体に形成してなる。ブロック部分と摺動片２６の上面および下面は、それぞれ体積減少のために減肉してあり、減少肉部の左右２個所に軸２３を受け入れるボス２８が設けてある。
【００２３】
上摺動体２２の各前後面において、左右で対を為す抵抗片２７は、図５および図６に示すごとく互いに左右逆向きに延びる片持ち状の弾性腕からなり、その湾曲部２７ａの前後面のそれぞれが、ガイドレール１１の前後壁の内面と圧接して摩擦抵抗を発生させる。そのために、摺動片２６の前後面の間隔が、ガイドレール１１の内法前後寸法と同じかこれより僅かに小さく設定してあるのに対して、抵抗片２７の前後面の間隔は、ガイドレール１１の内法前後寸法より僅かに大きく設定してある。なお、抵抗片２７の前後面の間隔が大きくなる程、大きな摩擦抵抗が得られるが、これに伴い、戸パネル１を開閉操作するときの操作抵抗も大きくなるので、ある程度の摩擦抵抗を発揮できながら、戸パネル１は支障なく開閉できるように抵抗片２７の摩擦抵抗を設定する。以下に述べる下摺動体２４の抵抗片３０も同様に設定する。
【００２４】
図７および図８において、下摺動体２４は、左右に長い直方体ブロック状のプラスチック成形品からなり，その前後面下半部の左右両端に、スライド枠８で摺動案内される摺動片２９をそれぞれ前後に張り出し、各前後面において左右の摺動片２９間に左右一対の抵抗片３０を一体に形成する。ブロック部分の左右２個所には、軸２５の頭部を受け入れる凹部３１と、ばね３２用のばね受座３３とを、スライド穴３４を間に挟んで上下対向状に設け、左右の凹部３１間に下向きに開口するローラ凹部３５が設けられている。
【００２５】
図８において、ローラ凹部３５の内部にローラ３６を配置し、ブロック部分を前後に貫くローラ軸３７でローラ３６を遊転自在に支持する。ローラ３６の下面は、ブロック部分の底端面より僅かに突出している。下摺動体２４は、遊動ビーム９に軸２５で上下動のみ自在に支持し、ばね受座３３と遊動ビーム９との間に配置したテーパーコイル形の圧縮コイルばね３２で下向きに押圧付勢されている。ローラ３６は、スライド枠８の内底壁に先当たり接当してばね３２の押圧力を受け止め、下摺動体２４の下端面の全体がスライド枠８と接当して、その摺動抵抗が過大になるのを防いでいる。
【００２６】
下摺動体２４の各前後面において、左右で対を為す抵抗片３０は、ブロック部分の下部側から上向きに突出する、断面Ｌ字形の片持ち腕状の弾性腕として形成されており、図１に示すようにその縦腕部３０ａの前後面が、スライド枠８の前後壁の内面にそれぞれ圧接して摩擦抵抗を発生させる。そのために、摺動片２９の前後面の間隔が、スライド枠８の内法前後寸法と同じかこれより僅かに小さく設定してあるのに対して、抵抗片３０の前後面の間隔は、スライド枠８の内法前後寸法より僅かに大きく設定する。この抵抗片３０による摩擦力は、先に説明したように、戸パネル１の開閉時の操作抵抗を考慮して適正値に設定される。
【００２７】
図１および図４に示すように、上摺動体２２をガイド枠７の側端からガイドレール１１に嵌め込むことにより、遊動ビーム９の全体をガイド枠７に吊持する。この組み付け状態において、上摺動体２２の摺動片２６はガイドレール１１の前後の内壁面で移動案内される。遊動ビーム９をガイド枠７に組み込んだ後、ストッパー１５・１６をガイド枠７にかしめ固定することにより、両者７・９が相対的なスライドを許しながら分離不能に組み付けられる。この後、戸パネル１に固定したスライド枠８をガイド枠７に下面側から差し込み、遊動ビーム９の下摺動体２４にスライド枠８を下面側から嵌め込ことにより、戸パネル１を前後傾動不能に保持できる。このように、戸パネル１を上部案内装置で案内支持した状態において下摺動体２４の摺動片２９はスライド枠８の前後壁と接当して、戸パネル１の上側の前後位置を規制している。
【００２８】
上記のように構成した上部案内装置によれば、閉じ位置から戸パネル１を図上左方へ開き操作すると、まずスライド枠８のみが下摺動体２４に案内されて移動し、戸パネル１を半分近く開放したときに、開放接当具２０が遊動ビーム９の下摺動体２４に接当して、遊動ビーム９を同行移動させる。このとき、上摺動体２２および下摺動体２４はそれぞれの抵抗片２７・２９が、ガイドレール１１およびスライド枠８に圧接して摩擦抵抗を生じさせている。従って、戸パネル１が勢いよく開き操作されるような場合にも、その運動慣性力を滅殺し、戸パネル１の移動速度を徐々に低下できる。戸パネル１を完全に開き操作した状態では、図４に示すように、左方のストッパー１５が上摺動体２２を受け止めて、それ以上に遊動ビーム９が進出するのを防止する。この状態では遊動ビーム９はその右半分がガイド枠７で支持され、その左半分がガイド枠７の側方に突出してスライド枠８を支えている。実際には、図１に示すように遊動ビーム９の突出部は、戸パネル１のスライド枠８を収容する溝内に収容されているので、これを見ることはできず、戸パネル１はスライド枠８のみで支持されているように見える。
【００２９】
上記の状態から戸パネル１を図上右側方へ閉じ操作すると、まずスライド枠８のみが下摺動体２４に案内されて閉じ側へ移動する。場合によっては、遊動ビーム９が同行移動する。戸パネル１を半分近く閉じ操作すると、開き始端側に設けた閉止接当具２１が左方の下摺動体２４に接当して、遊動ビーム９を同行移動させる。戸パネル１を完全に閉じ操作した状態では、遊動ビーム９およびスライド枠８はそれぞれガイド枠７内へ入り込んで隠蔽されるので、外観上の体裁を向上できる。塵埃がスライド枠８や遊動ビーム９に堆積することもよく防止できる。なお、右方のストッパー２６は、遊動ビーム９がスライド枠８に押し出されて先行移動するような場合に、上摺動体２２と接当して遊動ビーム９の退入限界を規制するために設けてある。
【００３０】
図９は上摺動体２２の変形例を示しており、抵抗片２７を上摺動体２２とは別体の独立部品として形成して、抵抗片２７を左右の摺動片２６に係合装着したものとなっている。この場合の抵抗片２７は、板ばねや線ばね等の金属ばね体で形成し、あるいはプラスチックばねや、金属ばねを芯材にしてその表面をプラスチック材で被覆した複合ばね体等で形成できる。下摺動体２４の抵抗片３０も同様に独立部品化できる。
【００３１】
上記以外に、対を為す抵抗片２７は、それぞれの遊端どうしが左右に対向するように形状を変更でき、下摺動体２４の抵抗片３０は下向きに突出する状態で形成できる。抵抗片２７・３０の摺動相手壁は、ガイドレール１１の上壁やスライド枠８の内底壁であってもよい。ローラ３６は必ずしも要さず省略することができる。
【００３２】
各接当具２０・２１は遊動ビーム９に直接接当してこれを同行移動するように変更することができる。必要があれば、遊動ビーム９に両接当具２０・２１あるいはストッパー１５・１６と接当するブロックを設けることができる。ガイド枠７およびスライド枠８等は、それぞれプレス成形した枠体で形成してもよい。本発明の上部案内装置は、２個の戸パネル１を左右それぞれに開閉操作する、両開き型の引戸にも適用できる。
【００３３】
【発明の効果】
本発明の上部案内装置では、戸パネル１を開放する場合に限って、スライド枠８および遊動ビーム９がガイド枠７から突出して、戸パネル１の上部を前後傾動不能に支持し、戸パネル１を閉止した状態では、スライド枠８および遊動ビーム９をガイド枠７の下方に退縮収容して、これらが開口面に隣接する壁面に突出するのを解消した。従って、引戸を室内の雰囲気を損なうことなく設けることができ、従来は適用がためらわれるような居室等にも違和感なく適用できる。とくにアウトセット型の引戸に好適である。
【００３４】
遊動ビーム９に上摺動体２２と下摺動体２４とを設け、遊動ビーム９を両摺動体２２・２４を介してガイド枠７およびスライド枠８に対して相対スライド可能に連結するので、遊動ビーム９に適度の摺動摩擦抵抗を与えることができ、これにより戸パネル１が急開閉される場合の運動慣性力を徐々に滅殺し、戸パネル１が側枠等に衝突するのを防止できる。外部振動によって戸パネル１が徐々に開閉移動するのを解消できる。戸パネル１の開閉時に騒音を生じたり、パネル上部が前後にがた付くことも同時に解消して、開閉操作を静粛に行える。
【図面の簡単な説明】
【図１】上部案内装置の縦断側面図である。
【図２】引戸を開放した状態の斜視図である。
【図３】ガイド枠と遊動ビームとスライド枠のそれぞれを分離した状態の縦断正面図である。
【図４】引戸を開放した状態における上部案内装置の縦断正面図である。
【図５】上摺動体の斜視図である。
【図６】上摺動体の平面図である。
【図７】下摺動体の平面図である。
【図８】図７におけるＡ−Ａ線断面図である。
【図９】上摺動体の別実施例を示す平面図である。
【符号の説明】
１  戸パネル
３  下部レール
６  開口枠
７  ガイド枠
８  スライド枠
９  遊動ビーム
１１  ガイドレール
２０  開放接当具
２１  閉止接当具
２２  上摺動体
２４  下摺動体
【図１】
0003866382.tif 000002
【図２】
0003866382.tif 000003
【図３】
0003866382.tif 000004
【図４】
0003866382.tif 000005
【図５】
0003866382.tif 000006
【図６】
0003866382.tif 000007
【図７】
0003866382.tif 000008
【図８】
0003866382.tif 000009
【図９】
0003866382.tif 000010